(57)【要約】【課題】  静電気放電による影響を低減させ、コスト・耐久性を改善し得る光ディスク装置を提案する。【解決手段】  ディスクトレイの下面にリブを設け、シャーシ側にこれらに相対するスイッチ、スイッチを設け、スイッチ（ロック検出部）がオンになった後、スイッチ（排出要求検出部）がオンになった場合に、一旦スイッチがオフになるまで待機し、それ以外の場合にはスイッチがオンになった際にディスクトレイの排出処理を実行し、排出プランジャによってロック爪を解除させるようにした。【選択図】図１
2010250877.tif 000002
【特許請求の範囲】
【請求項１】
基体と、
該基体に収納される最大入り位置と基体から排出された排出位置の間で移動するディスクトレイと、
前記最大入り位置の近傍で前記ディスクトレイを前記基体に対して係止するロック機構と、
前記ディスクトレイが前記ロック位置まで収納されたことを検出するロック検出部と、
前記ディスクトレイが前記ロック位置と前記最大入り位置の中間まで収納されたことを検出する排出要求検出部と、
前記ロック機構によるロックを解除する解除部と
を備えることを特徴とする光ディスク装置。
【請求項２】
前記ロック検出部によりディスクトレイの収納が検出された後、前記排出要求検出部によってディスクトレイの収納が検出された場合に、一旦排出要求検出部による検出がなくなるまで待機し、それ以外の場合には排出要求検出部による検出に応じて排出処理を実行し、前記解除部によって前記ロック機構の解除を行う
ことを特徴とする請求項１に記載の光ディスク装置。
【請求項３】
前記ロック検出部によりディスクトレイの収納が検出されてから所定の時間が経過した後、前記排出要求検出部によってディスクトレイの収納が検出された場合に、前記解除部によって前記ロック機構の解除を行う
ことを特徴とする請求項１に記載の光ディスク装置。
【請求項４】
前記排出部は、
前記ロック検出部によりディスクトレイの収納が検出された後、前記排出要求検出部によってディスクトレイの収納が検出されない場合に、所定の時間待機した後、光ディスクのディスク情報の読み込みを開始させる
ことを特徴とする請求項１に記載の光ディスク装置。
【請求項５】
前記ロック検出部及び排出要求検出部は、
前記ディスクトレイから突出した部材と、前記基体側に設けられ、当該部材に相対する検出スイッチを備える
ことを特徴とする請求項１に記載の光ディスク装置。
【請求項６】
前記ロック検出部及び排出要求検出部は、
前記基体から突出した部材と、前記ディスクトレイ側に設けられ、当該部材に相対する検出スイッチを備える
ことを特徴とする請求項１に記載の光ディスク装置。
【請求項７】
前記ロック検出部が複数設けられ、いずれかのロック検出部による検出がなくなった場合に、ピックアップのレーザ光源を遮断させる遮断部を備える
ことを特徴とする請求項１に記載の光ディスク装置。
【発明の詳細な説明】
【技術分野】
【０００１】
本発明は、光ディスク装置に関し、例えばディスクトレイの排出要求を検出する光ディスク装置に適用して好適なものである。
【背景技術】
【０００２】
従来、ノートブック型のパーソナルコンピュータに搭載される薄型の光ディスク装置においては、ディスクトレイの外部表面に排出スイッチが設けられており、このスイッチを押圧操作することによってディスクトレイを排出させることができるようになされている。
【０００３】
ところが、このように排出スイッチをディスクトレイの外部表面に設けた場合、排出スイッチをユーザが押圧操作する際にユーザからの静電気放電（ＥＳＤ）がスイッチ及びケーブルを介して光ディスク装置内部の制御基板に伝達し、その影響により光ディスク装置が誤動作するおそれがあった。
【０００４】
このような静電気放電の影響を低減させる手段として、従来、排出スイッチを光ディスク装置内部の制御基板上に配置すると共に、棒状部材を、その一端側がディスクトレイの外部表面から露出し、他端側がディスクトレイを閉じた状態で排出スイッチと接するように配設し、この棒状部品を介してユーザが排出スイッチを操作できるようにした光りディスク装置が提案されている（特許文献１参照）。
【特許文献１】特開２００２−３６７２６２号公報
【発明の開示】
【発明が解決しようとする課題】
【０００５】
しかしながら、かかる光ディスク装置においては、物理的な可動部である棒状部品を装置内部に配設するため、構造的に複雑となり、コスト及び耐久性の面からも改善の余地があった。
【０００６】
本発明は以上の点を考慮してなされたもので、静電気放電による影響を低減させ、コスト及び耐久性を改善し得る光ディスク装置を提案しようとするものである。
【課題を解決するための手段】
【０００７】
かかる課題を解決するため本発明においては、光ディスク装置において、基体と、該基体に収納される最大入り位置と基体から排出された排出位置の間で移動するディスクトレイと、前記最大入り位置の近傍で前記ディスクトレイを前記基体に対して係止するロック機構と、前記ディスクトレイが前記ロック位置まで収納されたことを検出するロック検出部と、前記ディスクトレイが前記ロック位置と前記最大入り位置の中間まで収納されたことを検出する排出要求検出部と、前記ロック機構によるロックを解除する解除部とを設けるようにした。
【発明の効果】
【０００８】
本発明によれば、光ディスク装置における静電気放電による影響を低減させ、コスト及び耐久性を改善し得る光ディスク装置を実現できる。
【発明を実施するための形態】
【０００９】
以下、本発明について本発明の一実施の形態を詳述する。
【００１０】
図１は、本実施の形態による光ディスク装置の構成を示す。この光ディスク装置は、ノートブック型のパーソナルコンピュータや小型のデスクトップ型のパーソナルコンピュータ等に搭載される薄型形状のものであり、シャーシ（基体）１と、光ディスクを載置するディスクトレイ２０と、これらシャーシ１及びディスクトレイ２０を覆うトップカバー（図示せず）とを備えて構成される。
【００１１】
シャーシ１の内側面には、一対のガイドレール２がディスクトレイ２０の挿入／排出方向と平行に、かつディスクトレイ２０を挟み込むように取り付けられている。また各ガイドレール２の内側には、それぞれディスクトレイ２０をシャーシ１に対してスライドさせるための断面コ字状のガイドレール３がガイドレール２に対してスライド可能に取り付けられている。さらにシャーシ１のガイドレール２付近には、ディスクトレイ２０に設けられたロック爪２８によりディスクトレイ２０をシャーシ１に係止するためのピン５が設けられている。
【００１２】
またシャーシ１の内側には基板１０が配置されており、この基板１０に、ディスクトレイ２０のシャーシ１に対する位置関係を検出するためのスイッチ１１、スイッチ１２及びスイッチ１３と、光ピックアップ２３をフレキシブルケーブルを介してディスクトレイ２０内の回路に接続するためのコネクタ１４と、本光ディスク装置を外部機器に接続するためのコネクタ１５と、制御回路等を構成するＩＣ（集積回路）１９となどの電子部品が実装されている。
【００１３】
一方、ディスクトレイ２０においては、その上面に凹状のディスク載置部２０ａが形成されると共に側面に溝部２０ｂが設けられており、この溝部２０ｂとディスクトレイ２０の下面とがガイドレール３のコ字状の部分によってスライド可能に挟持されている。これによりディスクトレイ２０をガイドレール２に沿って挿入／排出方向にスライドさせることができるようになされている。
【００１４】
またディスクトレイ２０には、光ディスクを固定するクランパ部２１が設けられており、このクランパ部２１をディスクモータ２２によって回転駆動されることができるようになされている。さらにディスクトレイ２０には、光ディスクに記録されている信号の読み取りを行うピックアップ２３が設けられており、このピックアップ２３をピックアップ駆動部２４によって光ディスクの径方向に移動させ得るようになされている。
【００１５】
ディスクトレイ２０の下面には、ディスクトレイ２０のシャーシ１に対する位置関係を検出するためのリブ２５とリブ２６が設けられている。リブ２５はスイッチ１１及びスイッチ１２に対応するものであり、リブ２６はスイッチ１３に対応するものである。リブ２６とスイッチ１３の詳細な位置関係は後述するが、本実施の形態では、リブ２５及びリブ２６の位置をスイッチ１１〜スイッチ１３により検出し、この検出結果によってシャーシ１とディスクトレイ２０との位置関係を検出することができるようになされている。
【００１６】
また、ディスクトレイ２０には、軸を中心に回転し、シャーシ１側のピン５と係合し得るロック爪２８が取り付けられている。なお、このロック爪２８は、実際の大きさより大きく図示している。さらにこのロック爪２８は、図示しないバネ等によりディスクトレイ２０の側面からピン５側に突出する方向に付勢されている。さらにディスクトレイ２０には、このロック爪２８をピン５とは逆方向に回転駆動させ、ピン５との係合を解除させる排出プランジャ２７が取り付けられている。この排出プランジャ２７は、例えば電磁ソレノイドによって構成するが、モータ等で構成しても良い。
【００１７】
図２は、ＩＣ１９等により構成される光ディスク装置の制御系の構成を示す。この光ディスク装置は、装置全体の動作制御を司るシステムコントローラ５１と、システムコントローラ５１からの制御に応じてサーボ制御を行うサーボ制御部５２と、サーボ制御部５２からの制御に応じてディスクモータ２２及びピックアップ駆動部２４を構成するスレッドモータ２４ａを駆動するモータドライバ５３と、ピックアップ２３からの再生信号の処理を行う信号処理部５４とを備える。光ディスク９の円周方向には、記録トラックが形成されており、信号処理部５４はピックアップ２３の再生出力からトラッキング信号を抽出し、サーボ制御部５２は、信号処理部５４からのトラッキング信号に応じてモータドライバ５３を駆動し、ピックアップ２３の位置を記録トラックに追従させる。
【００１８】
またこの光ディスク装置は、信号処理部５４からの制御に応じてピックアップ２３のレーザ光源を駆動するレーザドライバ５５と、信号処理部５４の出力からの記録データの抽出等を行うデータ処理部５６と、パーソナルコンピュータ等の外部の装置とのデータの入出力を行うインタフェースコントローラ５７とを備えている。信号処理部５４は、ピックアップ２３の再生出力から記録トラックの再生信号を抽出する。データ処理部５６は、記録トラックの再生信号からデータを再生する。再生されたデータは、システムコントローラ５１の制御の下、インタフェースコントローラ５７を介して外部の装置に供給される。
【００１９】
さらにシステムコントローラ５１は、上述のスイッチ１１、スイッチ１２及びスイッチ１３の検出結果に応じて、ディスクトレイ２０とシャーシ１との位置関係を検出し、検出結果に応じてディスクトレイ２０の収納状態を判断し、装置全体の動作を制御する。
【００２０】
図３は、ディスクトレイ２０が排出位置に位置した状態を示す。ディスクトレイ２０は、シャーシ１に収納される際に、ディスクトレイ２０のシャーシ１後面側に棒状部材が突出する付勢部２０ｃによって付勢されており、ディスクトレイ２０がシャーシ１に収納されたロック状態（図６、図７）においてシャーシ１のピン５とディスクトレイ２０のロック爪２８の係合が解除されると、付勢部２０ｃによる付勢によりディスクトレイ２０がシャーシ１から排出される。なお、図３は、排出されたディスクトレイ２０を最大限に引き出した状態を示している。
【００２１】
図４は、この排出位置におけるシャーシ１後面側（図３中のＡ方向）から見たリブ２５、リブ２６、スイッチ１１、スイッチ１２、スイッチ１３の位置関係を示す。ディスクトレイ２０はこの図４の紙面に対して垂直方向にスライドするようになっており、スライド位置に応じて、リブ２５によりスイッチ１１、スイッチ１２の状態が切り替わり、リブ２５によりスイッチ１３の状態が切り替わるようになっている。
【００２２】
図５は、排出位置におけるシャーシ１側面側（図３中のＢ方向）から見たリブ２５、リブ２６、スイッチ１１、スイッチ１２、スイッチ１３の位置関係を示す。ディスクトレイ２０は、この図５の左右方向にスライドする。この排出位置においては、リブ２５とリブ２６は、スイッチ１１、スイッチ１２及びスイッチ１３とは離れた位置にあるため、各スイッチ１１〜１３はいずれもオフの状態である。
【００２３】
図６は、ディスクトレイ２０がシャーシ１に収納され、シャーシ１のピン５とディスクトレイ２０のロック爪２８とが係合している状態を示す。以下においては、このようにシャーシ１のピン５とディスクトレイ２０のロック爪２８とが係合するディスクトレイ２０の位置（つまりシャーシ１に収納された通常の状態にあるディスクトレイ２０の位置）を、適宜、ロック位置と呼ぶ。また、図７は、このロック位置におけるシャーシ１側面側（図３中のＢ方向）から見たリブ２５、リブ２６、スイッチ１１、スイッチ１２、スイッチ１３の位置関係を示す。この位置では、リブ２５によりスイッチ１１及びスイッチ１２がオン状態となっている。
【００２４】
このロック位置では、シャーシ１とディスクトレイ２０は、付勢部２０ｃによる付勢に抗してロック爪２８とピン５が係合することによって一定の位置関係を維持しているが、ロック爪２８とピン５の係合の構造上、ディスクトレイ２０を最大入り位置まで押し込むことができる若干（例えば１ｍｍ程度）の遊びがある。この実施の形態では、この遊びを利用して、ディスクトレイ２０をさらに押し込む動作を検出して、排出要求として扱うようになっている。
【００２５】
図８は、このロック状態から上述の「遊び」の中間の位置（開検出位置）にまでディスクトレイ２０を押し込んだ状態を示す。また、図９は、この開検出位置におけるシャーシ１側面側（図３中のＢ方向）から見たリブ２５、リブ２６、スイッチ１１、スイッチ１２、スイッチ１３の位置関係を示す。この開検出位置では、上述のロック位置と同様に、リブ２５によりスイッチ１１及びスイッチ１２がオン状態となっており、さらに、リブ２６によりスイッチ１３がオン状態になっている。
【００２６】
図１０は、上述の各位置における各スイッチ１１、スイッチ１２、スイッチ１３の状態を示す。このようにスイッチ１３は、ロック位置における遊び（ロック爪２８、ピン５等からなるロック機能の遊び）の中間でオン状態になるように、リブ２６との位置関係が設定されている。なお、この図１０及び上述の図３では、遊びの長さを実際のものより誇張して図示している。
【００２７】
図１１は、ディスクトレイ２０の収納動作と排出動作における各部の状態を示すタイミングチャートである。収納動作において、ディスクトレイ２０をシャーシ１内に押し込むと、スイッチ１１とスイッチ１２が順にオン状態になる。この際、ディスクトレイ２０の押し込みが強いと、同図中のように、スイッチ１３もオンになる場合がある。このような場合に、排出要求として扱ってしまうと、ディスクトレイ２０の収納が困難になってしまう。このため、システムコントローラ５１は、このような場合にスイッチ１３がオンになっても排出要求としては扱わない。
【００２８】
図１２は、このような動作を実現するための処理を示すフローチャートである。ディスクトレイ２０が排出された状態（スイッチ１２がオフの状態）においては、システムコントローラ５１はスイッチ１２がオンになるのを待機している（Ｓ１）。ディスクトレイ２０が収納されてスイッチ１２がオンになると、システムコントローラ５１はタイマーをリセットし（Ｓ２）、スイッチ１３がオンになるのを監視する（Ｓ３）。
【００２９】
スイッチ１３がオンにならなければ、システムコントローラ５１はタイマーが所定の値（Ｔ：例えば２秒程度）より大きくなったか否かを確認し（Ｓ４）、所定の値を超えていればサーボ制御部５２に指示して光ディスク９のディスク情報の読み込みを開始させる（Ｓ６）。タイマーが所定の値を超えていなければ、システムコントローラ５１はスイッチ１３の監視を続ける（Ｓ３）。
【００３０】
上述のステップＳ３においてスイッチ１３がオンになると、システムコントローラ５１はスイッチ１３がオフになるまで待機し（Ｓ５）、スイッチ１３がオフになると、システムコントローラ５１はサーボ制御部５２に指示して光ディスク９のディスク情報の読み込みを開始させる（Ｓ６）。
【００３１】
このような処理により、ディスクトレイ２０の収容（スイッチ１２がオン）になってから所定時間（Ｔ）以内に、スイッチ１３がオンになった場合には、システムコントローラ５１はこれを排出要求として扱わず、スイッチ１３がオフになった後に光ディスク９のディスク情報の読み込みを開始させる。これにより、ディスクトレイ２０の収納を容易に行うことができる。
【００３２】
また図１３は、上述の図１１中の排出動作における処理を示すフローチャートである。光ディスク９の再生時には、システムコントローラ５１はスイッチ１３がオンになるのを待機している（Ｓ１１）。スイッチ１３がオンになると、システムコントローラ５１は、スイッチ１２がオンであるか否かを確認する（Ｓ１２）。スイッチ１３がオンになった際にスイッチ１２がオフであればノイズ等の影響の可能性があるので、システムコントローラ５１はスイッチ１３がオンになるのを待機する（Ｓ１１）。
【００３３】
スイッチ１２がオンであれば、システムコントローラ５１はスイッチ１３がオフになるのを待機する（Ｓ１３）。スイッチ１３がオフになると、システムコントローラ５１はサーボ制御部５２等に指示して光ディスク９の再生を停止させ（Ｓ１４）、光ディスク９が停止すると排出プランジャ２７に指示してディスクトレイ２０を排出させる（Ｓ１５）。これにより、ディスクトレイ２０のロック位置においてディスクトレイ２０がシャーシ１側に押し込まれると、システムコントローラ５１が排出要求として判断してディスクトレイ２０を排出させることができる。
【００３４】
これにより、本実施の形態においては、ディスクトレイ２０の外側に排出スイッチを設けることなく、ディスクトレイ２０の排出要求を検出することができ、静電気放電に対する影響を低減させることができる。また、本実施の形態では、ディスクトレイ２０の下面に設けたリブ２６によってスイッチ１３を操作するようにしているため、排出スイッチを装置内部に設け、装置外部から当該排出スイッチを操作する部材を設けた場合に比較して、構造の単純化、耐久性の向上を実現することができる。
【００３５】
ところで、ディスクトレイ２０の収納を検出するだけであれば、スイッチ１２だけで検出することができ、スイッチ１１は必ずしも設ける必要はないが、本実施の形態では、スイッチ１１とスイッチ１２の状態に応じて、ピックアップ２３のレーザ光源の制御を行っている。
【００３６】
具体的には、システムコントローラ５１は、スイッチ１１とスイッチ１２のいずれかがオフ状態になった場合に、ディスクモータ２２等の動作に関係なく、レーザドライバ５５にピックアップ２３のレーザ光源の電源を遮断させる。このような制御を行うことにより、衝撃等によってディスクトレイ２０がシャーシ１から飛び出してしまったような場合においても、ピックアップ２３のレーザ光源を確実に遮断することができる。
【００３７】
なお、上述の実施の形態においては、シャーシ１側にスイッチ１２及びスイッチ１３を配置し、ディスクトレイ２０の下面にリブ２５及びリブ２６を設けた場合について述べたが、本発明はこれに限らず、シャーシ１とディスクトレイ２０の位置関係を検出することができるのであれば、当該位置関係を検出する構成としては、この他種々の構成を広く適用することができる。例えばディスクトレイ２０側に回路基板が設けられる場合には、図１４に示すように、シャーシ１の内面にリブ２５及びリブ２６を設け、ディスクトレイ２０の下面にスイッチ１２及びスイッチ１３を設けるようにしても良い。また、例えば図１５に示すように、リブ２６とスイッチ１３の代わりにディスクトレイ２０の後端部によって押下され得るプッシュ型のスイッチ１３をシャーシ１側に設けるようにしても良い。
【００３８】
また上述の実施の形態においては、リブ２５及びリブ２５の位置を検出する手段としてスイッチ１２及びスイッチ１３を用いる場合について述べたが、本発明はこれに限らず、これらに替えてフォトインタラプタ等の他の検出方法を適用するようにしても良い。また、リブ２５及びリブ２６の形状も上述の例に限られるものではなく、スイッチ等によって検出することができれば突起・腕状の形状でも良い。
【００３９】
さらに上述の実施の形態においては、スイッチ１２の状態によりディスクトレイ２０の収納を検出する場合について述べたが、本発明はこれに限らず、スイッチ１２の替りにスイッチ１１の状態を用いても良く、あるいはスイッチ１１及びスイッチ１２のいずれかがオン状態となったときにディスクトレイ２０が収納されたと検出しても良い。
【００４０】
さらに上述の実施の形態においては、ディスクトレイ２０のロック機構は、排出プランジャ２７、ロック爪２８及びピン５で構成するようにした場合について述べたが、本発明はこれに限らず、他のロック機構を用いるようにしても良い。この場合にも、機構的にロック位置における遊びが存在するため、上述と同様にリブ２５、リブ２６、スイッチ１２及びスイッチ１３等によって排出要求を検出することができる。
【００４１】
さらに上述の実施の形態においては、ノートブック型のパーソナルコンピュータや小型のデスクトップ型のパーソナルコンピュータ等に用いられる薄型の光ディスク装置を例に説明したが、本発明の適用対象はこれに限定されず、例えば通常のデスクトップ型のパーソナルコンピュータ等に用いられる光ディスク装置に用いても良い。
【産業上の利用可能性】
【００４２】
排出スイッチを装置内部に設けたことにより、静電気放電による影響を低減させることができ、動作の安定性・耐久性が必要な用途に適用できる。
【図面の簡単な説明】
【００４３】
【図１】本発明の実施の形態による光ディスク装置の構成を示す斜視図である。
【図２】本発明の実施の形態による光ディスク装置の制御系の構成を示すブロック図である。
【図３】ディスクトレイの排出位置における光ディスク装置の構成を示す上面図である。
【図４】ディスクトレイの排出位置における光ディスク装置の構成を示す断面図である。
【図５】ディスクトレイの排出位置における光ディスク装置の構成を示す断面図である。
【図６】ディスクトレイのロック位置における光ディスク装置の構成を示す上面図である。
【図７】ディスクトレイのロック位置における光ディスク装置の構成を示す断面図である。
【図８】開検出位置における光ディスク装置の構成を示す上面図である。
【図９】開検出位置における光ディスク装置の構成を示す断面図である。
【図１０】ディスクトレイと各スイッチの状態を示す図である。
【図１１】閉動作と排出動作における各スイッチの状態等を示すタイミングチャートである。
【図１２】ディスクトレイ収納時の処理手順を示すフローチャートである。
【図１３】ディスクトレイ排出時の処理手順を示すフローチャートである。
【図１４】リブ及びスイッチの配置の変形例による光ディスク装置の構成を示す斜視図である。
【図１５】リブ及びスイッチの配置の変形例による光ディスク装置の構成を示す斜視図である。
【符号の説明】
【００４４】
１……シャーシ、５……ピン、９……光ディスク、１２……スイッチ、１３……スイッチ、２０……ディスクトレイ、２５……リブ、２６……リブ、２７……排出プランジャ、２８……ロック爪、５１……システムコントローラ、５２……サーボ制御部、５３……モータドライバ。
【図１】
2010250877.tif 000003
【図２】
2010250877.tif 000004
【図３】
2010250877.tif 000005
【図４】
2010250877.tif 000006
【図５】
2010250877.tif 000007
【図６】
2010250877.tif 000008
【図７】
2010250877.tif 000009
【図８】
2010250877.tif 000010
【図９】
2010250877.tif 000011
【図１０】
2010250877.tif 000012
【図１１】
2010250877.tif 000013
【図１２】
2010250877.tif 000014
【図１３】
2010250877.tif 000015
【図１４】
2010250877.tif 000016
【図１５】
2010250877.tif 000017